(57)【特許請求の範囲】
【請求項１】
片側面に多数の係止突条（２ａ）を並列形成したベルト（２）に移動調整自在且つ係合自在に挿着され、弾性変形可能なプラスチック材により一体成形されたバックル（１）であって、当該バックル（１）は、ベルト（２）の係止突条（２ａ）を形成していない面に対向すると共に中央部側が両端部側よりも高くなるように円弧状に彎曲する板状に形成された底壁部（１ａ）と、底壁部（１ａ）の両側縁部に対向状態で連設され、中央部側が両端部側よりも高くなるように円弧状に彎曲する板状に形成された側壁部（１ｂ）と、両側壁部（１ｂ）間に底壁部（１ａ）と対向するように配置され、底壁部（１ａ）との間にベルト（２）が挿通される間隙を形成すると共に一端部側にベルト（２）の係止突条（２ａ）へ係合自在な係止突起（１ｈ）を備えた板状の係止部（１ｃ）と、両側壁部（１ｂ）の一部分と係止部（１ｃ）の両側縁の略中間部分とを一体的に連結して係止部（１ｃ）を両側壁部（１ｂ）間に揺動自在に支持する弾性変形可能な略軸状の支持部（１ｄ）と、両側壁部（１ｂ）の支持部（１ｄ）が連設された部分の両側位置と係止部（１ｃ）の支持部（１ｄ）が連設された部分の両側位置に形成された切欠（１ｌ）とから成り、前記係止部（１ｃ）の他端部側を底壁部（１ａ）側へ押圧したときには、係止部（１ｃ）が支持部（１ｄ）の弾性変形により支持部（１ｄ）を支点にして回動し、係止部（１ｃ）の係止突起（１ｈ）とベルト（２）の係止突条（２ａ）との係合が外れるように、又、係止部（１ｃ）の押圧状態を解除したときには、係止部（１ｃ）が支持部（１ｄ）の弾性力により支持部（１ｄ）を支点にして前記と反対方向へ回動し、係止部（１ｃ）の係止突起（１ｈ）とベルト（２）の係止突条（２ａ）とが係合するように構成されていることを特徴とするバックル。
【請求項２】
板状の係止部（１ｃ）の表面側に凹所（１ｊ）を形成し、該凹所（１ｊ）に装飾体（３）を嵌合固定したことを特徴とする請求項１に記載のバックル。
【発明の詳細な説明】
【０００１】
【発明の属する技術分野】
本発明は、ズボンやスカート等の衣服の重ね合わせ部分（例えばズボンやスカートの腰回り部分、上着の袖口部分）、鞄やバッグ等の袋物の重ね合わせ部分（例えば蓋部分と本体の重ね合わせ部分）、或いは帽子の周縁部（後頭部に対向する部分）に形成したサイズ調節用の切欠部に夫々取り付けられ、衣服等の重ね合わせ部分の重ね具合や帽子等の切欠部の幅を調整できるようにした締付け用調整具のバックルに係り、特にプラスチック材で一体成形したバックルの改良に関するものである。
【０００２】
【従来の技術】
一般に、一部のズボンやスカート等の衣服に於いては、腰回り部分の寸法を調整できるように締め付け用の調整具が取り付けられている。
この調整具は、衣服の腰回り部分を切開して形成した重ね合わせ部分の一方に取り付けられるベルトと、衣服の重ね合わせ部分の他方に取り付けられ、ベルトに係合自在で且つベルトに沿って移動調整自在なバックルとから成り、バックルを調節ベルトに沿って移動させ、衣服の重ね合わせ部分の重ね具合を変えることによって、腰回り部分の寸法を調整できるようになっている。
【０００３】
図１２乃至図１６は衣服等に取り付けられる従来の締め付け用の調整具を示すものであり、当該調整具は、衣服の重ね合わせ部分の一方に固定具（図示省略）を介して取り付けられたベルト４と、衣服の重ね合わせ部分の他方に固定具（図示省略）を介して取り付けられたバックル５とから成る。
【０００４】
具体的には、前記ベルト４は、図１に示す如く、弾性変形可能なプラスチック材や合成ゴム材により細幅の薄板状に形成されて居り、その表面側には幅方向に沿う多数の係止突条４ａがベルト４の長手方向に並列形成されている。
【０００５】
一方、前記バックル５は、図１２乃至図１６に示す如く、弾性変形可能なプラスチック材により一体成形されて居り、ベルト４の係止突条４ａを形成していない裏面側に対向する板状の底壁部５ａと、底壁部５ａの両側縁部に対向状態で連設され、中間部分が切り欠かれた側壁部５ｂと、両側壁部５ｂの上端に上下方向へ揺動自在且つ弾性変形可能に連設され、底壁部５ａとの間にベルト４が挿通される間隙を形成すると共に先端部にベルト４の係止突条４ａへ係合自在な係止爪５ｃを備えた板状の係止部５ｄと、両側壁部５ｂの切り欠き部分に配置され、基端部側が両側壁部５ｂに内方へ弾性変形可能に連設された一対の操作部５ｆとから成り、両操作部５ｆの先端部を内方へ押圧して弾性変形させたときに、両操作部５ｆの先端部の内側部分が係止部５ｄの先端部両側に形成したテーパ面５ｅに当接して係止部５ｄの先端部側を底壁部５ａから離れる方向へ弾性変形させるようになっている。
【０００６】
而して、ベルト４の先端部をバックル５の底壁部５ａと係止部５ｄとの間隙に挿入して行くと、ベルト４はバックル５の係止部５ｄをその弾性力に抗して上方へ押し上げつつバックル５内に挿入され、係止爪５ｃが係止突条４ａに係合して抜け止めされた状態となる（図１６参照）。
この状態でバックル５の両操作部５ｆを指で内方へ押し込むと、操作部５ｆが内方へ弾性変形し、操作部５ｆの先端部内側部分が係止部５ｄのテーパ面５ｅに当接して該係止部５ｄをベルト４から離れる方向へ弾性変形させる。その結果、係止部５ｄの係止爪５ｃとベルト４の係止突条４ａとの係合が外れ、バックル５はベルト４に沿って移動自在となる。
又、バックル５をベルト４の所定の位置に移動させた後、操作部５ｆから指を離すと、係止部５ｄがそれ自身の弾性力によって元の位置に復帰し、係止爪５ｃがベルト４の係止突条４ａに係合してバックル５の移動が阻止される。
【０００７】
このように、前記調整具は、バックル５をベルト４に沿って移動させることによって、衣服の重ね合わせ部分（腰回り部分）の重ね具合を自由に調整することができ、又、バックル５をベルト４の所定の位置に係合させることによって、衣服の腰周り寸法を所定の寸法に保持することができる。
【０００８】
【発明が解決しようとする課題】
ところで、前記調整具に用いる従来のバックル５に於いては、両側壁部５ｂに設けた両操作部５ｆを内方へ押圧操作することによってベルト４との係合を解除できる構成となっている為、バックル５自体の厚みが極めて薄くなっている。
ところが、前記バックル５は、両操作部５ｆを押圧操作するときにバックル５自体の厚みが極めて薄くなっていることとも相俟って、バックル５自体が極めて不安定な姿勢で指と指との間に挾まれることになる。その結果、両方の操作部５ｆを指で押し込むときにバックル５自体が指と指の間で引っ繰り返ったりすることがあり、操作し難いと云う問題がある。然も、操作部５ｆ自体が比較的小さい為、これの押圧操作を行い難く、前記問題がより助長されることになる。
又、両側壁部５ｂに係止部５ｄを弾性変形させる為の操作部５ｆを別に形成しなければならない為、バックル５自体の形状及び構造も複雑化することになる。その結果、金型自体の形状及び構造も複雑になってコストの高騰を招くと云う問題がある。
【０００９】
本発明は、上記の問題点を解消する為に創作されたものであり、その目的は操作性に優れていると共に、形状及び構造の簡略化を図れるようにした締め付け用調整具のバックルを提供するにある。
【００１０】
【課題を解決するための手段】
上記目的を達成する為に、本発明の請求項１のバックルは、片側面に多数の係止突条を並列形成したベルトに移動調整自在且つ係合自在に挿着され、弾性変形可能なプラスチック材により一体成形されたバックルであって、当該バックルは、ベルトの係止突条を形成していない面に対向すると共に中央部側が両端部側よりも高くなるように円弧状に彎曲する板状に形成された底壁部と、底壁部の両側縁部に対向状態で連設され、中央部側が両端部側よりも高くなるように円弧状に彎曲する板状に形成された側壁部と、両側壁部間に底壁部と対向するように配置され、底壁部との間にベルトが挿通される間隙を形成すると共に一端部側にベルトの係止突条へ係合自在な係止突起を備えた板状の係止部と、両側壁部の一部分と係止部の両側縁の略中間部分とを一体的に連結して係止部を両側壁部間に揺動自在に支持する弾性変形可能な略軸状の支持部と、両側壁部の支持部が連設された部分の両側位置と係止部の支持部が連設された部分の両側位置に形成された切欠とから成り、前記係止部の他端部側を底壁部側へ押圧したときには、係止部が支持部の弾性変形により支持部を支点にして回動し、係止部の係止突起とベルトの係止突条との係合が外れるように、又、係止部の押圧状態を解除したときには、係止部が支持部の弾性力により支持部を支点にして前記と反対方向へ回動し、係止部の係止突起とベルトの係止突条とが係合するように構成したことに特徴がある。
【００１１】
又、本発明の請求項２のバックルは、板状の係止部の表面側に凹所を形成し、該凹所に装飾体を嵌合固定したことに特徴がある。
【００１２】
【発明の実施の形態】
以下、本発明の実施の形態を図面に基づいて詳細に説明する。
図１は本発明の実施の形態に係るバックル１を用いた締め付け用調整具の斜視図を示し、当該調整具は、ズボンやスカート等の衣服の腰回り部分を切開して形成した重ね合わせ部分の一方に取り付けられるベルト２と、衣服の重ね合わせ部分の他方に取り付けられ、ベルト２が移動調整自在に挿通されるバックル１とから構成されて居り、バックル１をベルト２に沿って移動させ、衣服の重ね合わせ部分の重ね具合を変えることによって、腰回り部分の寸法を自由に調整できるようになっている。
【００１３】
前記ベルト２は、図１及び図８に示す如く、弾性変形可能なプラスチック材（例えばナイロン等）や合成ゴム材により細幅の薄板状に形成されて居り、その表面側には幅方向に沿う多数の係止突条２ａがベルト２の長手方向に並列状に形成されている。
又、ベルト２の端部は、係止突条２ａが形成されて居らず、ベルト２を衣服の重ね合わせ部分に取り付ける為の取付け部２ｂとなっている。
【００１４】
本発明の実施の形態に係るバックル１は、図１乃至図７に示す如く、弾性変形可能なプラスチック材（例えばナイロン等）により一体成形されて居り、板状の底壁部１ａと、底壁部１ａの両側縁部に夫々連設された側壁部１ｂと、両側壁部１ｂ間に底壁部１ａと対向するように配置された板状の係止部１ｃと、両側壁部１ｂと係止部１ｃとを一体的に連結する略軸状の支持部１ｄとから構成されている。
【００１５】
具体的には、前記底壁部１ａは、中央部側が両端部側よりも高くなるように円弧状に彎曲する板状に形成されて居り、その表面側にベルト２の係止突条２ａを形成していない裏面側が摺動するようになっている。
又、底壁部１ａの中央部分には、後述する係止部１ｃへ装飾体３を取り付ける際に、装飾体３を係止部１ｃへかしめられるように工具を挿入できる穴１ｅが形成されている。
【００１６】
前記両側壁部１ｂは、底壁部１ａの両側縁部に対向状態で且つ一端部側が底壁部１ａから外方へ突出する状態で連設されて居り、底壁部１ａと同様に中央部側が両端部側よりも高くなるように円弧状に彎曲する板状に形成されている。
又、両側壁部１ｂの底壁部１ａから外方へ突出する一端部側（図７の左側）には、補強用の桟部１ｆと、バックル１自体を衣服の重ね合わせ部分へ取り付ける為の棒状の取付け部１ｇとが夫々一体的に形成されている。
【００１７】
前記係止部１ｃは、底壁部１ａと略同じ大きさの板状に形成されて居り、両側壁部１ｂ間に底壁部１ａと対向するように配置され、底壁部１ａとの間にベルト２が挿通される間隙を形成するものである。
又、係止部１ｃの先端部裏面には、ベルト２の係止突条２ａに係合自在な係止突起１ｈが一体的に形成されている。この係止突起１ｈは、断面形状が略楔状に形成されて居り、バックル１がベルト２に対して図８の左方向へ移動するときにはベルト２の係止突条２ａに係止され、バックル１が図８の右方向へ移動するときには係止突条２ａに接触しつつこれを乗り越えられるようになっている。
更に、係止部１ｃの基端部表面には、滑り止め用の複数本の突条１ｉが幅方向に沿う姿勢で且つ並列状に形成されている。
【００１８】
そして、係止部１ｃの表面側の中央部には、ここへ金属製の装飾体３（例えば装飾用のボタン）を取り付けられるように、円形の凹所１ｊと取付け孔１ｋとが同心状に形成されている。
尚、金属製の装飾体３は、図５に示す如く、凹所１ｊに嵌合される円盤部３ａと、円盤部３ａの中央に突設されて取付け孔１ｋへ挿通される筒部３ｂとから成り、円盤部３ａを凹所１ｊに嵌合すると共に筒部３ｂを取付け孔１ｋへ挿通し、係止部１ｃの裏面側へ突出した筒部３ｂを係止部１ｃの裏面側へかしめることによって、係止部１ｃへ取り付けられる。
【００１９】
前記支持部１ｄは、両側壁部１ｂの一部分と係止部１ｃの両側縁の略中間部分とを一体的に連結して、係止部１ｃを両側壁部１ｂ間に上下方向へ揺動自在に支持するものであり、断面形状が略四角形の軸状に形成されている。この支持部１ｄは、係止部１ｃの基端部を底壁部１ａ側へ押圧したときには、側壁部１ｂに対して捩じられるように弾性変形するようになっている。
尚、両側壁部１ｂの支持部１ｄが連設された部分の両側位置と係止部１ｃの支持部１ｄが連設された部分の両側位置には、支持部１ｄが容易に弾性変形できるように切欠１ｌが夫々形成されている。
【００２０】
尚、前記バックル１に於いて、底壁部１ａと係止部１ｃとの間隔は、ベルト２を移動自在に挿通できるように設定されている。又、底壁部１ａ上面と係止部１ｃの係止突起１ｈとの間隔は、両者間にベルト２を挿通したときに係止部１ｃの係止突起１ｈがベルト２の隣接する係止突条２ａ間に入り込み、係止突条２ａへ係止されるように設定されている。
【００２１】
而して、上記構成のバックル１は、ズボンやスカート等の衣服の腰回り部分に形成した重ね合わせ部分の一方に布製の短いバンド（図示省略）を介して取り付けられている。即ち、バックル１は、その取付け部１ｇに衣服の重ね合わせ部分の一方に縫着等により取り付けた布製の短いバンドを巻き付け固定することによって、衣服の重ね合わせ部分の一方に取り付けられている。
又、このバックル１の底壁部１ａと係止部１ｃとの間には、衣服の重ね合わせ部分の他方に縫着等により取り付けたベルト２が挿通されている。
尚、バックル１及びベルト２は、係止部１ｃ及び係止突条２ａが衣服の外方へ向くようにして衣服の腰回り部分に取り付けられている。
【００２２】
前記バックル１に於いて、その係止部１ｃの基端部を指で底壁部１ａ側へ押すか、或いは底壁部１ａと係止部１ｃの基端部とを指で挾んで係止部１ｃの基端部を底壁部１ａ側へ近づけると、支持部１ｄと側壁部１ｂの支持部１ｄが連設された部分とが弾性変形すると共に、これに伴って係止部１ｃが支持部１ｄを支点にして若干量だけ回動する。即ち、係止部１ｃは、係止突起１ｈを形成した先端部側がベルト２から離れるように回動する。
その結果、係止部１ｃの係止突起１ｈとベルト２の係止突条２ａとの係合が外れることになり、バックル１はベルト２に沿って移動自在となる（図９参照）。この状態でバックル１をベルト２に沿って移動させることによって、衣服の腰回り部分の重ね具合を自由に調整することができる。
【００２３】
一方、バックル１を所定の位置に移動させた後、係止部１ｃから指を離して係止部１ｃの押圧状態を解除すると、係止部１ｃが支持部１ｄの弾性力により支持部１ｄを支点にして前記と反対方向へ回動し、その係止突起１ｈがベルト２の係止突条２ａに係合されることになる（図８参照）。
その結果、バックル１は、その移動が阻止されることになり、衣服の腰周り寸法を所定の寸法に保持することができる。
【００２４】
前記バックル１は、バックル１の表面側から比較的面積の大きい係止部１ｃを押圧操作してベルト２との係合を解除する構成としている為、比較的面積の小さい両側面から押圧操作するようにした従来のバックルに比較して安定した姿勢でバックル１を押圧操作することができ、操作性に優れたものとなる。
又、このバックル１は、係止部１ｃ自体を押圧操作してベルト２との係合を解除する構成としている為、従来のバックルのように係止部を押圧操作する為の操作部を新たに形成する必要もなく、従来のバックルに比較して形状及び構造の簡略を図れると共に、金型の形状及び構造も簡単なものとなり、コスト低減を図れることになる。
更に、このバックル１は、係止部１ｃに装飾体３を設けている為、見栄えが良くなると共に、デザイン性にも優れたものとなる。
そのうえ、このバックル１は、底壁部１ａ及び両側壁部１ｂが円弧状に彎曲している為、衣服の腰回り部分に取り付けたときに腰回り部分へ密着することになり、バックル１の両端部が衣服の腰回り部分から浮き上がったりすることもない。
加えて、このバックル１は、係止突起１ｈが断面形状楔状を呈している為、係止部１ｃを押圧操作しなくても、バックル１をベルト２に沿って図８の右方向へ移動させることができる。その結果、衣服の重ね合わせ部分の重ね具合を変える場合（例えば腰回り部分の寸法を小さくする場合）、バックル１を移動操作するだけで良く、調整操作が極めて簡単となる。
【００２５】
尚、上記実施の形態に於いては、バックル１を衣服の腰回り部分に形成した重ね合わせ部分に取り付けるようにしたが、他の実施の形態に於いては、上着の袖口部分、鞄やバッグ等の袋物の重ね合わせ部分（例えば蓋部分と本体の重ね合わせ部分）、或いは帽子の周縁部（後頭部に対向する部分）に形成したサイズ調節用の切欠部に夫々取り付けるようにしても良い。
【００２６】
上記実施の形態に於いては、バックル１に棒状の取付け部１ｇを形成し、この取付け部１ｇに衣服に縫着した布製の短いバンドを巻き付け固定することによって、バックル１を衣服へ取り付けるようにしたが、他の実施の形態に於いては、バックル１の取付け部１ｇを省略し、バックル１の底壁部１ａをリベット等の固定具（図示省略）を介して直接衣服へ取り付けるようにしても良い。
【００２７】
上記実施の形態に於いては、両側壁部１ｂ間に補強用の桟部１ｆを連設するようにしたが、他の実施の形態に於いては、補強用の桟部１ｆを省略するようにしても良い。
【００２８】
上記実施の形態に於いては、係止部１ｃに装飾体３を設けるようにしたが、他の実施の形態に於いては、図１０及び図１１に示すように係止部１ｃの装飾体３を省略するようにしても良い。この場合、係止部１ｃの凹所１ｊ及び取付け孔１ｋも省略することは勿論である。
【００３０】
上記実施例に於いては、係止部１ｃの係止突起１ｈを断面形状略楔状に形成したが、この係止突起１ｈの形状は、ベルト２の係止突条２ａに係止される形状であれば、如何なる形状であっても良い。
【００３１】
【発明の効果】
上述の通り、本発明の請求項１のバックルにあっては、バックルの表面側から比較的面積の大きい係止部を押圧操作してベルトとの係合を解除する構成としている為、比較的面積の小さい両側面から押圧操作するようにした従来のバックルに比較して安定した姿勢でバックルを押圧操作することができる。その結果、このバックルは、押圧操作するときにバックルが引っ繰り返ったりすると云うようなことがなく、操作が行い易くなって操作性に優れたものとなる。
又、このバックルは、係止部自体を押圧操作してベルトとの係合を解除する構成としている為、従来のバックルのように係止部を押圧操作する為の操作部を別に形成する必要もない。その結果、このバックルは、従来のバックルに比較して形状及び構造の簡略を図れると共に、金型の形状及び構造も簡単なものとなり、コスト低減を図れることになる。
更に、このバックルは、底壁部及び両側壁部が円弧状に彎曲している為、例えば、衣服の腰回り部分に取り付けたときに腰回り部分へ密着することになり、バックルの両端部が衣服の腰回り部分から浮き上がったりすることがない。
然も、このバックルは、両側壁部の支持部が連設された部分の両側位置と係止部の支持部が連設された部分の両側位置に夫々切欠を形成しているため、支持部が容易に弾性変形することができる。
【００３２】
本発明の請求項２のバックルにあっては、上記効果に加えて更に次のような効果を奏し得る。
即ち、請求項２のバックルにあっては、係止部に装飾体を設けている為、見栄えが良くなると共に、デザイン性にも優れたものとなる。
【図面の簡単な説明】
【図１】本発明の実施の形態に係るバックルを用いた調整具の拡大斜視図である。
【図２】本発明の実施の形態に係るバックルの拡大平面図である。
【図３】バックルの拡大側面図である。
【図４】バックルの拡大底面図である。
【図５】図２のＡ−Ａ線断面図である。
【図６】図２のＢ−Ｂ線断面図である。
【図７】図２のＣ−Ｃ線断面図である。
【図８】バックルにベルトを挿通した状態を示し、バックルとベルトが係止された状態の拡大断面図である。
【図９】バックルを押圧操作してバックルとベルトとの係止状態を解除した状態の拡大断面図である。
【図１０】本発明の他の実施の形態に係るバックルの拡大斜視図である。
【図１１】図１０に示すバックルの拡大断面図である。
【図１２】従来のバックルを用いた調整具の拡大斜視図である。
【図１３】従来のバックルの拡大平面図である。
【図１４】図１３のＤ−Ｄ線断面図である。
【図１５】図１３のＥ−Ｅ線断面図である。
【図１６】従来のバックルにベルトを挿通した状態を示し、バックルとベルトが係止された状態の拡大断面図である。
【符号の説明】
１はバックル、１ａは底壁部、１ｂは側壁部、１ｃは係止部、１ｄは支持部、１ｈは係止突起、１ｊは凹所、２はベルト、２ａは係止突条、３は装飾体。
【図１】
0004056022.tif 000002
【図２】
0004056022.tif 000003
【図３】
0004056022.tif 000004
【図４】
0004056022.tif 000005
【図５】
0004056022.tif 000006
【図６】
0004056022.tif 000007
【図７】
0004056022.tif 000008
【図８】
0004056022.tif 000009
【図９】
0004056022.tif 000010
【図１０】
0004056022.tif 000011
【図１１】
0004056022.tif 000012
【図１２】
0004056022.tif 000013
【図１３】
0004056022.tif 000014
【図１４】
0004056022.tif 000015
【図１５】
0004056022.tif 000016
【図１６】
0004056022.tif 000017